(57)【要約】【課題】本考案はマスコット人形等の着脱が簡単に行え、メモ紙６を挟んで電話を使用する際のメモとして使用できる付加価値が付与されるものとなり、更にクリップ４を旅行鞄や手提げ袋の縁部に挟持させて携帯用機器の入れ忘れや置き忘れが防止でき、且つクリップ４をポケット口に挟持させて携帯用機器の落下防止が出来るクリップ付きハンドストラップを提供することを目的とする。【解決手段】ストラップ本体１の端部にリング２を取付け、該リング２に細紐３とクリップ４を設ける構造とする。またリング２は、ストラップ本体１の端部に結合具５を介して単独に取付けられるものとしても良く、クリップ４はその後部の穴４１にリング２を挿入させて設けると良い。またクリップ４にメモ紙６を挟持させて具備すると良い。【選択図】　　　　図１
0003099872.tif 000002
【実用新案登録請求の範囲】
【請求項１】
ストラップ本体（１）の端部にリング（２）を取付け、該リング（２）に、ループ状の取付用の細紐（３）を設けると共にクリップ（４）を設けたことを特徴とするクリップ付きハンドストラップ。
【請求項２】
ストラップ本体（１）の端部に、ループ状の取付用の細紐（３）が結合具（５）を介して取付けられ、該結合具（５）にリング（２）を取付けると共にそのリング（２）にクリップ（４）を設けたことを特徴とするクリップ付きハンドストラップ。
【請求項３】
前記ストラップ本体（１）が板状に形成された請求項１又は２記載のクリップ付きハンドストラップ。
【請求項４】
前記リング（２）が、前記ストラップ本体（１）の端部に結合具（５）を介して取付けられ、且つ前記クリップ（４）が、その後部に穿設した穴（４１）を前記リング（２）に挿入して設けられた請求項１記載のクリップ付きハンドストラップ。
【請求項５】
前記クリップ（４）に挟持させてメモ紙（６）が具備された請求項１、２又は４記載のクリップ付きハンドストラップ。
【考案の詳細な説明】
【０００１】
【考案の属する技術分野】
本考案は携帯用電話機や使い捨て用カメラ等の小型な携帯用機器に取付けるクリップ付きハンドストラップに関する。
【０００２】
【従来の技術】
図５は従来のハンドストラップを示す図であり、この構造はストラップ本体（１）の一端に、ループ状に形成した取付用の細紐（３）が、かしめ締金具などの結合具（５）を介して固着されたものである。これを使用する時は、携帯用電話機や使い捨て用カメラ等の携帯用機器に細紐（３）を取付け、ストラップ本体（１）を手に持つことにより、前記携帯用機器を手から吊下げることが可能となっていた。また前記ストラップ本体（１）にマスコットやキャラクター品等を取付ける際には、それ等に付いているループ状の紐を、ストラップ本体（１）又は細紐（３）に結び付けて取付けていた。
【０００３】
【考案が解決しようとする課題】
しかしながら前記ハンドストラップは、携帯用機器を持ち歩く場合に適しているが、旅行鞄や手提げ袋等に携帯用機器を入れ忘れてしまうことが多くあると共に、特に旅行先で使い捨て用カメラや小型カメラ等の携帯用機器を置き忘れてしまうことも多くあった。また携帯用電話機等を上着の内ポケットなどに入れて持ち歩く場合、上着を脱いて手に持つ際や上着を置く際に、ポケットを下に向けて携帯用電話機などを落下させてしまう事故が発生し易かった。更に特に若い人に於いては、マスコットやキャラクター品等を流行に応じてストラップ本体（１）に取付けたり、取外したりして頻繁に交換する場合が多くあり、この際に、ループ状の紐を外すのに手間が掛かって不便である等の問題点があった。
【０００４】
本考案はマスコットやキャラクター品等の着脱が簡単に行え、且つメモ紙を挟んで電話を使用する際などのメモとして使用できる付加価値が付与されたクリップ付きハンドストラップを提供することを目的とする。
【０００５】
本考案の他の目的としては、クリップを旅行鞄や手提げ袋等の縁部などに挟持させて入れ忘れ或いは置き忘れが防止でき、且つクリップをポケットの口部などに挟持させて携帯電話機等の落下防止が出来るクリップ付きハンドストラップを提供するにある。
【０００６】
【課題を解決するための手段】
本考案は上記問題点を解消するために成されたものであり、つまり、ストラップ本体の端部にリングを取付け、該リングに細紐とクリップを設ける構造とする。またリングは、ストラップ本体の端部に結合具を介して単独に取付けられるものとしても良く、クリップはその後部の穴にリングを挿入させて設けると良い。またクリップにメモ紙を挟持させて具備すると良い。
【０００７】
【考案の実施の形態】
図１は本考案の実施形態を示す図であり、これに基づき説明する。（１）はループ状に形成された皮革製や合成樹脂製などのストラップ本体である。（２）はストラップ本体（１）の端部に取付けた金属製のリングであり、該リング（２）は後述する結合具（５）の管部（５１）に挿入され、前記リング（２）が前記ストラップ本体（１）の端部に対して上下方向に回動自在に取付けられている。（３）はリング（２）に設けた取付用の細紐であり、該細紐（３）はループ状に形成されている。この細紐（３）は携帯用電話機や使い捨て用カメラなどの携帯用機器（８）に直接に取付けるものである（図４参照）。尚、前記ストラップ本体（１）と前記細紐（３）は従来品と同じものを用いれば良い。（４）はリング（２）に設けた合成樹脂製や金属製などのクリップであり、該クリップ（４）の後部には穴（４１）が穿設されており、この穴（４１）にリング（２）を挿入し遊嵌させている。尚、前記クリップ（４）は市販されている一般の構造のものを用いれば良いが、挟持力としては、クリップ（４）が鞄等の縁部やポケットの口部に挟持された時に、少なくとも携帯用機器（８）を吊下させる大きさ以上のものが好ましい。（５）はストラップ本体（１）の端部に取付け固定した合成樹脂製や金属製などの結合具であり、該結合具（５）の他端部には、リング（２）を挿入するための管部（５１）が設けられている。（６）はクリップ（４）に挟持させて具備したメモ紙である。（７）は図４に示すマスコット人形やキャラクター品などのアクセサリー品であり、図示する以外のものをクリップ（４）に挟持させても良い。
【０００８】
図２は本考案の別実施形態を示す図であり、これは前記実施形態と比べ、ストラップ本体（１）が板状に形成された人工皮革製や柔軟な合成樹脂製などのものであり、人工皮革製のストラップ本体（１）の場合、リング（２）には人工皮革製で帯状の材料を通して折返し且つその折返し部分に結合具（５）であるリベットで留められている。更に前記折返し部分の端部は人工皮革製のストラップ本体（１）の内部に入れると共に結合具（５）であるリベットで留め、且つストラップ本体（１）の他端部も結合具（５）であるリベットで留められている。他は同じである。
【０００９】
図３は本考案の他の実施形態を示す図であり、これは図１に示す実施形態と比べ、ストラップ本体（１）の端部には結合具（５）を介在して細紐（３）が単独に取付けられている。またリング（２）は結合具（５）の側面に突設させた円弧状の突起部（５２）へ取付けられている。他は同じである。尚、前記ストラップ本体（１）として、図２に示す板状のものを使用しても良い。
【００１０】
次に本考案の使用方法について説明する。先ず始めに本考案品を従来と同様に細紐（３）を携帯用電話機や使い捨て用カメラなどの携帯用機器（８）に直接に取付ける。次に前記携帯用機器（８）を持ち歩く際は、それと一緒にメモ紙（６）を具備させる場合、クリップ（４）の口を開き、メモ紙（６）をクリップ（４）で挟めば良い。従って、電話を使用する際にメモとして使用できると共に写真を撮影する際に撮影場所や気が付いたことなどを記入しておけば、後日の約束日時や伝言内容などが確認でき、また写真を整理する際に役立つものとなる。又、前記携帯用機器（８）にマスコットやキャラクター品などのアクセサリー品（７）或いはネームプレート等を取付ける際は、従来の如き取付ける品物のループ状の紐を結び付けたりして取付ける必要がなく、そのループ状の紐或いはアクセサリー品（７）やネームプレートの一部を直接にクリップ（４）で挟み込むだけで、簡単にそれ等が取付けられると共にクリップ（４）の口を開くだけで取外しが即時に出来るので、携帯用機器（８）にアクセサリー品（７）などを頻繁に交換しても手間が掛からないものとなる。
【００１１】
更に携帯用電話機や使い捨て用カメラ或いは小型カメラなどの携帯用機器（８）を旅行鞄などに入れ忘れたり、携帯用機器（８）を置き忘れたりすることを防止する場合には、先ず始めに携帯用機器（８）を旅行鞄などに入れると共に携帯用機器（８）に取付けたハンドストラップのクリップ（４）を、旅行鞄等の縁部などに挟持して留めておくことにより、カメラなどの携帯用機器（８）を旅行鞄などに一旦入れて常に持ち歩けば、カメラなどの携帯用機器（８）を使用する時には、クリップ（４）の口を開けば簡単に取出すことができ、使用後は直ぐに携帯用機器（８）を旅行鞄などに入れると共に直ぐにクリップ（４）を旅行鞄等の縁部などに挟持させれば、必要な時に何時でも取出せるものとなる。この場合、旅行中にカメラなどの携帯用機器（８）を持ち歩く際は、一般に小さなバックや袋に入れ換えて持ち歩くことが多く、これ等の中にカメラなどの携帯用機器（８）を入れ換えると共にこれ等の縁部などにクリップ（４）を挟持させておけば、カメラなどの携帯用機器（８）を置き忘れることが防止できるものとなる。また入れ換える毎にクリップ（４）で挟持すれば、携帯用機器（８）だけが分離されることがないため、従来の如き携帯用機器（８）をホテルに置き忘れることもなくなるのである。しかも次の旅行の時に携帯用機器（８）を入れ忘れることもなくなるものとなる。尚、図２に示すような板状のストラップ本体（１）のものを用いる場合、ストラップ本体（１）の表面に名前や連絡先などを描示しておくと、紛失した時に重宝なものとなる。
【００１２】
次に携帯用電話機である携帯用機器（８）を上着の内ポケットや他のポケット等に入れて持ち歩く場合には、携帯用機器（８）に取付けたハンドストラップのクリップ（４）を内ポケット等の口部などに挟み込んでおけば、上着を脱ぐ時にポケットが下に向けられても、従来の如き携帯用機器（８）が飛び出して落下することがなくなり、吊下されたままの状態となるため、携帯用機器（８）を落下して破損させる事故は防止出来るものとなるのである。
【００１３】
【考案の効果】
本考案はこのように構成させたことにより、下記に記載する効果を有する。
【００１４】
請求項１のようにストラップ本体（１）の端部にリング（２）を取付け、該リング（２）に、ループ状の取付用の細紐（３）を設けると共にクリップ（４）を設けることにより、本考案品を携帯用機器（８）に取付けた際に、クリップ（４）でマスコットやキャラクター品等のアクセサリー品（７）の着脱が簡単に行えるため、特に若い人がそれ等を流行に応じてストラップ本体（１）に取付けたり、取外したりして頻繁に交換することが気軽に行えるものとなる。またクリップ（４）を旅行鞄や手提げ袋等の縁部などに挟持させておけば、使い捨て用カメラや小型カメラである携帯用機器（８）を入れ忘れ或いは置き忘れが防止できると共に何時でも内部から取出して使用できるので重宝なものとなる。更に携帯用電話機である携帯用機器（８）を持ち歩く際に、鞄や手提げ袋等に入れ且つそれ等の縁部などに挟持させておけば、携帯用電話機である携帯用機器（８）を置き忘れたり、落下させる心配がなくなる。特に携帯用電話機である携帯用機器（８）を上着の内ポケットに入れ且つクリップ（４）を挟持させた状態で持ち歩けば、上着を脱ぐ際に携帯用電話機などの携帯用機器（８）が落下する心配はなくなるものとなる。
【００１５】
請求項２のようにストラップ本体（１）の端部に、ループ状の取付用の細紐（３）が結合具（５）を介して取付けられ、該結合具（５）にリング（２）を取付けると共にそのリング（２）にクリップ（４）を設けることにより、請求項１と同様な効果が得られると共に細紐（３）とクリップ（４）が独立した位置に設けられているため、クリップ（４）でマスコットやキャラクター品等のアクセサリー品（７）を挟持しても、そのアクセサリー品（７）が細紐（３）と絡む恐れがないものとなる。
【００１６】
請求項３に示すようにストラップ本体（１）を板状のものに形成することにより、ストラップ本体（１）の表面に名前や連絡先などを描示しておくと、紛失した時に重宝なものとなる。またストラップ本体（１）の表面に企業名や宣伝文などを描示しておくと、景品や贈呈用商品として利用し易い商品となる。
【００１７】
請求項４に示すようにリング（２）をストラップ本体（１）の端部に結合具（５）が介在されて取付け、且つクリップ（４）を、その後部に穿設した穴（４１）にリング（２）が挿入されて設けることにより、クリップ（４）はリング（２）に沿って移動が可能であるため、アクセサリー品（７）の位置が一番良い状態でクリップ（４）に取付けることが可能になると共に結合強度も有しているためクリップ（４）によって他の色々な物品を吊下することも可能になる。
【００１８】
請求項５のようにクリップ（４）に挟持させてメモ紙（６）を具備することにより、電話を使用する際などのメモとして使用でき、本考案品に付加価値を付与させることが出来るものとなる。
【図面の簡単な説明】
【図１】本考案の実施形態を示す斜視図である。
【図２】本考案の別実施形態を示す斜視図である。
【図３】本考案の他の実施形態を示す斜視図である。
【図４】本考案の使用状態を示す説明図である。
【図５】従来品を示す斜視図である。
【符号の説明】
１　ストラップ本体
２　リング
３　細紐
４　クリップ
４１　穴
５　結合具
６　メモ紙
【図１】
0003099872.tif 000003
【図２】
0003099872.tif 000004
【図３】
0003099872.tif 000005
【図４】
0003099872.tif 000006
【図５】
0003099872.tif 000007